(57)【要約】【課題】カラオケ装置を利用するユーザに対して、登録ユーザまたは非登録ユーザの歌唱履歴情報に応じた広告情報が提供されるとき、非登録ユーザの歌唱履歴は、登録ユーザのログイン及びログアウト時間を参照して決定する。非登録ユーザの歌唱履歴は、非登録ユーザとともにカラオケ装置を利用した登録ユーザが１人でもいないと、決定することができない。このため、非登録ユーザがカラオケ装置を利用するとき、カラオケ装置により提供されるサービスにログインしている登録ユーザがいない場合に、非登録ユーザに提供する広告情報を決定することができなかった。【解決手段】本発明は、カラオケ装置により提供されるサービスにユーザがログインしているか否かを判断し、ログインしているユーザには、ユーザの属性に合った広告を決定し、ログインしていないユーザには、カラオケ装置が設置される店舗についての情報に従って広告を決定する装置に関する。【選択図】        図１０
2013235105.tif 000002
【特許請求の範囲】
【請求項１】
店舗に設置されるカラオケ装置と通信可能な広告決定装置であって、
前記カラオケ装置により提供されるサービスにログインしているユーザがいるか否かを判断する第１判断手段と、
前記第１判断手段により、ログインしているユーザがいると判断されたとき、前記ログインしているユーザを認識可能なユーザ識別情報と対応付けられたユーザ属性情報を取得する第１取得手段と、
前記第１取得手段により取得されたユーザ属性情報に基づいて、取得したユーザの属性情報に合った広告を決定する第１決定手段と、
前記第１判断手段により、前記カラオケ装置により提供されるサービスにログインしているユーザがいると判断されなかった場合、前記カラオケ装置が設置される店舗の属性を示す店舗属性情報に基づいた広告を提供すると決定する第２決定手段と、
を備えることを特徴とする広告決定装置。
【請求項２】
前記店舗の属性情報として、前記店舗の稼働状況を示す販売時点情報管理（ＰＯＳ（Ｐｏｉｎｔ  ｏｆ  ｓａｌｅ））システムにより管理される、時間帯ごとのユーザ層を示す稼働情報を取得する稼働情報取得手段と、
前記第２決定手段は、前記第１判断手段により、前記カラオケ装置により提供されるサービスにログインしているユーザがいると判断されなかった場合、前記稼働情報取得手段により取得される前記時間帯ごとのユーザ層に合った広告を決定する
ことを特徴とする請求項１に記載の広告決定装置。
【請求項３】
前記店舗の属性情報として、前記店舗の立地状況を示す立地情報を取得する立地情報取得手段を備え、
前記第２決定手段は、前記第１判断手段により、前記カラオケ装置により提供されるサービスにログインしているユーザがいると判断されなかった場合、前記立地情報が示す前記店舗の立地状況に合った広告を決定する
ことを特徴とする請求項１または２に記載の広告決定装置。
【請求項４】
前記カラオケ装置に予約された楽曲を示す楽曲リストを取得するリスト取得手段と、
前記取得された楽曲リストに基づいて、ログインしているユーザであるログインユーザと、ログインしているユーザでないゲストユーザが混在しているかを判断する第２判断手段と、
前記第２判断手段により、ログインユーザとゲストユーザとが混在していると判断され、且つ、前記楽曲リストの楽曲のうち、前記ログインユーザが予約した楽曲が再生されるとき、前記店舗の属性情報に基づいた広告を提供すると決定する第３決定手段と、
を備えることを特徴とする請求項１〜３のいずれかに記載の広告決定装置。
【請求項５】
前記カラオケ装置に予約された楽曲を示す楽曲リストを取得するリスト取得手段と、
前記取得された楽曲リストに基づいて、ログインしているユーザであるログインユーザと、ログインしているユーザでないゲストユーザが混在しているかを判断する第２判断手段と、
前記第２判断手段により、ログインユーザとゲストユーザとが混在していると判断され、且つ、前記楽曲リストの楽曲のうち、前記ゲストユーザが予約した楽曲が再生されるとき、前記ログインユーザの属性に基づいた広告を提供すると決定する第４決定手段と、
を備えることを特徴とする請求項１〜４のいずれかに記載の広告決定装置。
【請求項６】
店舗に設置されるカラオケ装置と通信可能な広告決定装置における広告決定方法であって、
前記カラオケ装置により提供されるサービスにログインしているユーザがいるか否かを判断する第１判断ステップと、
前記第１判断ステップにより、ログインしているユーザがいると判断されたとき、前記ログインしているユーザを認識可能なユーザ識別情報と対応付けられたユーザ属性情報を取得する第１取得ステップと、
前記第１取得ステップにより取得されたユーザ情報に基づいて、取得したユーザの属性情報に合った広告を決定する第１決定ステップと、
前記第１判断ステップにより、前記カラオケ装置により提供されるサービスにログインしているユーザがいると判断されなかった場合、前記カラオケ装置が設置される前記店舗の属性情報に基づいた広告を提供すると決定する第２決定ステップと、
を含む広告決定方法。
【請求項７】
カラオケ装置により提供されるサービスにログインしているユーザがいるか否かを判断する第１判断手段と、
前記第１判断手段により、ログインしているユーザがいると判断されたとき、前記ログインしているユーザを認識可能なユーザ識別情報と対応付けられたユーザ属性情報を取得する第１取得手段と、
前記第１取得手段により取得されたユーザ情報に基づいて、取得したユーザの属性情報に合った広告を決定する第１決定手段と、
前記判断手段により、前記カラオケ装置により提供されるサービスにログインしているユーザがいると判断されなかった場合、前記カラオケ装置が設置される前記店舗の属性情報に基づいた広告を提供すると決定する第２決定手段と、
を備えることを特徴とするカラオケ装置。
【発明の詳細な説明】
【技術分野】
【０００１】
本発明は、店舗に設置されるカラオケ装置を利用して、広告を表示させる広告決定装置に関する。具体的には、カラオケ装置により提供されるサービスにユーザがログインしているか否かを判断し、ログインしているユーザには、ユーザの属性に合った広告を決定し、ログインしていないユーザには、カラオケ装置が設置される店舗についての情報に従って広告を決定する装置に関する。
【背景技術】
【０００２】
従来、カラオケ装置を利用するユーザに対して、広告を表示するシステムがある。特許文献１には、カラオケ装置を利用するユーザに対して、それぞれの歌唱履歴情報に応じた広告情報を各ユーザに提供する歌唱情報処理システムが開示されている。この歌唱情報処理システムは、たとえば、ユーザが、歌唱情報処理システムの登録ユーザであるとき、登録ユーザの歌唱履歴情報に応じた広告情報を再生する。一方、歌唱情報処理システムに登録されていない非登録ユーザであるときには、登録ユーザのログイン及びログアウト時間を参照して、非登録ユーザの歌唱履歴を決定する。そして、決定された非登録ユーザの歌唱履歴に基づいて、広告情報が決定される。
【先行技術文献】
【特許文献】
【０００３】
【特許文献１】特開２０１２−２７１２８号公報
【発明の概要】
【発明が解決しようとする課題】
【０００４】
特許文献１に記載の歌唱情報処理システムでは、カラオケ装置を利用するユーザに対して、登録ユーザまたは非登録ユーザの歌唱履歴情報に応じた広告情報が提供される。しかしながら、引用文献１では、非登録ユーザの歌唱履歴は、登録ユーザのログイン及びログアウト時間を参照して、決定するため、非登録ユーザとともにカラオケ装置を利用した登録ユーザが１人でもいないと、非登録ユーザの歌唱履歴を決定することができない。このため、非登録ユーザがカラオケ装置を利用するとき、カラオケ装置により提供されるサービスにログインしている登録ユーザがいない場合に、非登録ユーザに提供する広告情報を決定することができなかった。
【０００５】
本発明は、上述した問題点を解決するためになされたものである。本発明は、非登録ユーザの場合であっても、カラオケ装置が設置される店舗に合った広告を決定することで、効果的な広告情報の提供が可能な広告決定装置、広告決定方法及びカラオケ装置を提供することを目的とする。
【課題を解決するための手段】
【０００６】
請求項１に記載の発明によれば、店舗に設置されるカラオケ装置と通信可能な広告決定装置であって、前記カラオケ装置により提供されるサービスにログインしているユーザがいるか否かを判断する第１判断手段と、前記第１判断手段により、ログインしているユーザがいると判断されたとき、前記ログインしているユーザを認識可能なユーザ識別情報と対応付けられたユーザ属性情報を取得する第１取得手段と、前記第１取得手段により取得されたユーザ属性情報に基づいて、取得したユーザの属性情報に合った広告を決定する第１決定手段と、前記第１判断手段により、前記カラオケ装置により提供されるサービスにログインしているユーザがいると判断されなかった場合、前記カラオケ装置が設置される店舗の属性を示す店舗属性情報に基づいた広告を提供すると決定する第２決定手段と、を備えることを特徴とする広告決定装置である。
【０００７】
請求項２に記載の発明によれば、前記店舗の属性情報として、前記店舗の稼働状況を示す販売時点情報管理（ＰＯＳ（Ｐｏｉｎｔ  ｏｆ  ｓａｌｅ））システムにより管理される、時間帯ごとのユーザ層を示す稼働情報を取得する稼働情報取得手段と、前記第２決定手段は、前記第１判断手段により、前記カラオケ装置により提供されるサービスにログインしているユーザがいると判断されなかった場合、前記稼働情報取得手段により取得される前記時間帯ごとのユーザ層に合った広告を決定することを特徴とする。
【０００８】
請求項３に記載の発明によれば、前記店舗の属性情報として、前記店舗の立地状況を示す立地情報を取得する立地情報取得手段を備え、前記第２決定手段は、前記第１判断手段により、前記カラオケ装置により提供されるサービスにログインしているユーザがいると判断されなかった場合、前記立地情報が示す前記店舗の立地状況に合った広告を決定することを特徴とする。
【０００９】
請求項４に記載の発明によれば、前記カラオケ装置に予約された楽曲を示す楽曲リストを取得するリスト取得手段と、前記取得された楽曲リストに基づいて、ログインしているユーザであるログインユーザと、ログインしているユーザでないゲストユーザが混在しているかを判断する第２判断手段と、前記第２判断手段により、ログインユーザとゲストユーザとが混在していると判断され、且つ、前記楽曲リストの楽曲のうち、前記ログインユーザが予約した楽曲が再生されるとき、前記店舗の属性情報に基づいた広告を提供すると決定する第３決定手段と、を備えることを特徴とする。
【００１０】
請求項５に記載の発明によれば、前記カラオケ装置に予約された楽曲を示す楽曲リストを取得するリスト取得手段と、前記取得された楽曲リストに基づいて、ログインしているユーザであるログインユーザと、ログインしているユーザでないゲストユーザが混在しているかを判断する第２判断手段と、前記第２判断手段により、ログインユーザとゲストユーザとが混在していると判断され、且つ、前記楽曲リストの楽曲のうち、前記ゲストユーザが予約した楽曲が再生されるとき、前記ログインユーザの属性に基づいた広告を提供すると決定する第４決定手段と、を備えることを特徴とする。
【００１１】
請求項６に記載の発明によれば、店舗に設置されるカラオケ装置と通信可能な広告決定装置における広告決定方法であって、前記カラオケ装置により提供されるサービスにログインしているユーザがいるか否かを判断する第１判断ステップと、前記第１判断ステップにより、ログインしているユーザがいると判断されたとき、前記ログインしているユーザを認識可能なユーザ識別情報と対応付けられたユーザ属性情報を取得する第１取得ステップと、前記第１取得ステップにより取得されたユーザ情報に基づいて、取得したユーザの属性情報に合った広告を決定する第１決定ステップと、前記第１判断ステップにより、前記カラオケ装置により提供されるサービスにログインしているユーザがいると判断されなかった場合、前記カラオケ装置が設置される前記店舗の属性情報に基づいた広告を提供すると決定する第２決定ステップと、を含む広告決定方法である。
【００１２】
請求項７に記載の発明によれば、カラオケ装置により提供されるサービスにログインしているユーザがいるか否かを判断する第１判断手段と、前記第１判断手段により、ログインしているユーザがいると判断されたとき、前記ログインしているユーザを認識可能なユーザ識別情報と対応付けられたユーザ属性情報を取得する第１取得手段と、前記第１取得手段により取得されたユーザ情報に基づいて、取得したユーザの属性情報に合った広告を決定する第１決定手段と、前記判断手段により、前記カラオケ装置により提供されるサービスにログインしているユーザがいると判断されなかった場合、前記カラオケ装置が設置される前記店舗の属性情報に基づいた広告を提供すると決定する第２決定手段と、を備えることを特徴とするカラオケ装置である。
【発明の効果】
【００１３】
請求項１に記載の発明によれば、第２決定手段は、第１判断手段により、カラオケ装置により提供されるサービスにログインしているユーザがいると判断されなかった場合、カラオケ装置が設置される店舗の属性を示す店舗属性情報に基づいた広告を提供すると決定する。この結果、ログインしていないユーザの場合であっても、カラオケ装置が設置される店舗に合った広告を決定することで、効果的な広告情報の提供が可能となる。
【００１４】
請求項２に記載の発明によれば、広告決定装置は、店舗の属性情報として、店舗の稼働状況を示す販売時点情報管理（ＰＯＳ（Ｐｏｉｎｔ  ｏｆ  ｓａｌｅ））システムにより管理される、時間帯ごとのユーザ層を示す稼働情報を取得する稼働情報取得手段を備える。第２決定手段は、第１判断手段により、カラオケ装置により提供されるサービスにログインしているユーザがいると判断されなかった場合、稼働情報取得手段により取得される時間帯ごとのユーザ層に合った広告を決定する。この結果、ログインしていないユーザの場合であっても、カラオケ装置が設置される店舗の稼働状況を示す販売時点情報管理（ＰＯＳ（Ｐｏｉｎｔ  ｏｆ  ｓａｌｅ））システムにより管理される、稼働情報が示す時間帯ごとのユーザ層に合った広告を決定することで、効果的な広告情報の提供が可能となる。
【００１５】
請求項３に記載の発明によれば、広告決定装置は、店舗の属性情報として、店舗の立地状況を示す立地情報を取得する立地情報取得手段を備える。第２決定手段は、第１判断手段により、カラオケ装置により提供されるサービスにログインしているユーザがいると判断されなかった場合、立地情報が示す前記店舗の立地状況に合った広告を決定する。この結果、ログインしていないユーザの場合であっても、カラオケ装置が設置される店舗の立地状況に合った広告を決定することで、効果的な広告情報の提供が可能となる。
【００１６】
請求項４に記載の発明によれば、広告決定装置は、第２判断手段により、ログインユーザとゲストユーザとが混在していると判断され、且つ、楽曲リストの楽曲のうち、ログインユーザが予約した楽曲が再生されるとき、店舗の属性情報に基づいた広告を提供すると決定する第３決定手段を備える。一般的に、ログインユーザが予約した楽曲が再生されるときは、ゲストユーザは歌唱の待ち状態であると考えられる。この場合、歌唱しているログインユーザは、歌唱に集中し、広告を見る可能性は低いため、歌唱の待ち状態であるゲストユーザに合った広告として、店舗の属性情報に基づいた広告を提供すると決定することで、効果的な広告情報の提供が可能になる。
【００１７】
請求項５に記載の発明によれば、広告決定装置は、第２判断手段により、ログインユーザとゲストユーザとが混在していると判断され、且つ、楽曲リストの楽曲のうち、ゲストユーザが予約した楽曲が再生されるとき、ログインユーザの属性に基づいた広告を提供すると決定する第４決定手段を備える。一般的に、ゲストユーザが予約した楽曲が再生されるときは、ログインユーザは歌唱の待ち状態であると考えられる。この場合、歌唱しているゲストユーザは、歌唱に集中し、広告を見る可能性は低いため、歌唱の待ち状態であるログインユーザに合った広告として、ログインユーザの属性情報に合った広告を提供すると決定することで、効果的な広告情報の提供が可能になる。
【００１８】
請求項６に記載の発明によれば、第２決定ステップは、第１判断ステップにより、カラオケ装置により提供されるサービスにログインしているユーザがいると判断されなかった場合、カラオケ装置が設置される店舗の属性を示す店舗属性情報に基づいた広告を提供すると決定する。この結果、ログインしていないユーザの場合であっても、カラオケ装置が設置される店舗に合った広告を提供すると決定することで、効果的な広告情報の提供が可能となる。
【００１９】
請求項７に記載の発明によれば、第２決定手段は、第１判断手段により、カラオケ装置により提供されるサービスにログインしているユーザがいると判断されなかった場合、カラオケ装置が設置される店舗の属性を示す店舗属性情報に基づいた広告を提供すると決定する。この結果、ログインしていないユーザの場合であっても、カラオケ装置が設置される店舗に合った広告を提供すると決定することで、効果的な広告情報の提供が可能となる。
【図面の簡単な説明】
【００２０】
【図１】本発明の実施形態のカラオケシステムＳの全体概要を示す図である。
【図２】本実施形態のカラオケシステムＳのリモコン１、カラオケ装置２、センターサーバ４、及び、広告決定サーバ５の電気的構成を示すブロック図である。
【図３】本実施形態の注文端末６およびＰＯＳレジ７の電気的構成を示すブロック図である。
【図４】図４（ａ）は、リモコン１を用いてカラオケ曲の予約を行う際の表示画面である。図４（ｂ）は、本実施形態のリモコン１のディスプレイ１４に予約リストが表示される状態を示す説明図である。図４（ｃ）は、広告コンテンツと、属性情報とが対応付けられて、広告コンテンツ属性情報記憶領域４３２に記憶される記憶状態を示す概念図である。
【図５】店舗統計情報が、店舗統計情報記憶領域４３３に記憶される記憶状態を示す概念図である。
【図６】注文情報が、注文情報記憶領域６３１に記憶される記憶状態を示す概念図である。
【図７】顧客情報が、顧客情報記憶領域７３２に記憶される記憶状態を示す概念図である。
【図８】本実施形態のリモコン１により実行されるメイン動作の処理を示すフローチャートである。
【図９】本実施形態のカラオケ装置２により実行されるメイン動作の処理を示すフローチャートである。
【図１０】本実施形態の広告決定サーバ５により実行されるメイン処理を示すフローチャートである。
【図１１】本実施形態の広告決定サーバ５により実行されるログイン広告表示処理を示すフローチャートである。
【図１２】本実施形態の広告決定サーバ５により実行される店舗別表示処理を示すフローチャートである。
【発明を実施するための最良の形態】
【００２１】
［最良の実施形態］
以下、図面に沿って、本発明を適用した最良の実施形態について説明する。
【００２２】
［１．カラオケシステムの構成及び動作の概要］
始めに、図１を参照して、本実施形態のカラオケシステムの構成の概要について説明する。図１は、本実施形態のカラオケシステムＳの構成を表す図である。なお、図１は、カラオケ店舗ＫＳの中に設置された複数のカラオケルームの中で、カラオケルームＫＲの１室を例に示す。図１の例では、カラオケルームＫＲに、リモコン１と、カラオケ装置２と、広告決定サーバ５と、ディスプレイ５４と、注文端末６とが夫々１台ずつ設置されている。なお、カラオケルームＫＲに、リモコン１は複数台設置されても良い。一般的にカラオケ店舗ＫＳには、複数のカラオケルームＫＲが設定されている。
【００２３】
図１に示すように、カラオケシステムＳは、リモコン１と、カラオケ装置２と、センターサーバ４と、広告決定サーバ５と、注文端末６と、ＰＯＳ（Ｐｏｉｎｔ  ｏｆ  ｓａｌｅ（販売時点情報管理システム））レジ７とを含んで構成される。リモコン１は、カラオケ曲の選曲または検索に用いられる選曲装置である。リモコン１は、カラオケ店舗ＫＳに備えられたアクセスポイントＡＰ及びブロードバンドルータＢＲを介して、無線通信によりネットワークに接続される。これにより、リモコン１は、ネットワークを介してカラオケ装置２または広告決定サーバ５と通信が可能になる。また、広告決定サーバ５は、ブロードバンドルータＢＲを介してカラオケ装置２及びセンターサーバ４と通信が可能になる。リモコン１は、赤外線によりカラオケ装置２へ、カラオケ曲の予約を依頼する。リモコン１には、リモコンＩＤが付与されている。リモコンＩＤは、リモコン１を識別するための識別情報である。リモコンＩＤは、リモコン１を一意に特定できる情報であれば、どのような情報であってもよいが、例えばリモコン１に割り当てられたＩＰアドレスがリモコンＩＤとされても良い。
【００２４】
カラオケ装置２は、リモコン１により依頼された予約に基づいて、カラオケ曲の再生処理を行う。カラオケ装置２には、夫々カラオケ装置ＩＤが付与される。カラオケ装置ＩＤは、カラオケ装置を夫々識別するための情報である。カラオケ装置ＩＤは、カラオケ装置２を一意に特定できる情報であれば、どのような情報であってもよいが、例えばカラオケ装置２に割り当てられたＩＰアドレスがカラオケ装置ＩＤとされる。ＩＰアドレスが示すカラオケ装置２のカラオケ装置ＩＤにより、カラオケ装置２が存在する場所が特定され、カラオケ装置２が設置されるカラオケ店舗ＫＳおよびカラオケルームＫＲが特定される。すなわち、リモコン１のリモコンＩＤと、カラオケ装置２のカラオケ装置ＩＤとが対応付けられることにより、リモコン１により依頼された予約に基づく各処理が、カラオケ装置２により実行される。また、注文端末６にも、端末ＩＤが付与され、リモコン１のリモコンＩＤまたはカラオケ装置２のカラオケ装置ＩＤと、端末ＩＤとが対応付けられることにより、注文端末６と対応付けられたリモコン１及びカラオケ装置２が決定される。また、カラオケ装置ＩＤは、広告決定サーバ５においても管理されることにより、カラオケ装置ＩＤにより特定されるカラオケ装置２が設置されるカラオケ店舗ＫＳおよびカラオケルームＫＲの場所が特定される。
【００２５】
また、リモコン１の代わりに、ユーザが個人で所有する携帯端末装置から、カラオケ曲の予約を、カラオケ装置へ依頼することが可能である。ユーザは、夫々所有する携帯端末装置を用いて、カラオケ装置２へカラオケ曲の予約を依頼することができる。この場合、携帯端末装置は、携帯基地局Ｃを介してネットワークへ接続可能になっている。
【００２６】
また、ブロードバンドルータＢＲを介して、カラオケ店舗ＫＳより外部に設置されるセンターサーバ４と、ネットワークにより接続される。センターサーバ４の詳細は後述する。
【００２７】
広告決定サーバ５には、ディスプレイ５４と、ＰＯＳレジ７とが接続される。ディスプレイ５４は、センターサーバ４から受信する広告を表示する。ＰＯＳレジ７は、ユーザが注文端末６を用いて、カラオケ店舗ＫＳが提供する商品等を注文する注文情報を管理する。ＰＯＳレジ７により管理される情報は、センターサーバ４および広告決定サーバ５に送信される。なお、広告決定サーバ５とＰＯＳレジ７とが接続されていなくても良い。この場合、ＰＯＳレジ７により取得された情報が、センターサーバ４に送信されても良い。
【００２８】
[１．カラオケシステムＳの電気的構成]
図２および図３は、カラオケシステムＳの電気的構成を示すブロック図である。以下、図２を用いて、リモコン１、カラオケ装置２、センターサーバ４、広告決定サーバ５の電気的構成を順に説明する。図３を用いて、注文端末６、ＰＯＳレジ７の電気的構成を説明する。
【００２９】
［リモコン１の構成］
リモコン１は、制御部１１と、赤外線送信部１２と、メモリ１３と、ディスプレイ１４と、操作部１５と、操作処理部１６と、ビデオＲＡＭ１７と、映像制御部１８と、無線ＬＡＮ通信部１９とを備える。制御部１１は、リモコン１の動作を制御する。赤外線送信部１２は、後述するカラオケ装置２の赤外線受信部２５と通信することにより、リモコン１の指示を、カラオケ装置２へ送信する。メモリ１３は、ログイン情報記憶領域１３１と、アクティブ情報記憶領域１３２とを備える。ログイン情報記憶領域１３１は、ユーザがリモコン１を用いてカラオケシステムＳにログインした情報を記憶する。具体的には、カラオケシステムＳにおけるユーザのユーザ識別情報と、ユーザ識別情報に紐付けられているユーザの属性情報などが、ログイン情報記憶領域１３１に記憶される。ユーザの属性情報とは、例えば、ユーザの歌唱履歴、ユーザの嗜好を示す情報である。アクティブ情報記憶領域１３２は、リモコン１のアクティブユーザを示すユーザ識別情報を記憶する。アクティブユーザは、リモコン１を操作しているユーザを示す。図４を用いて、リモコン１のログイン処理、及び、アクティブユーザについて説明する。図４（ａ）は、リモコン１を用いて楽曲の予約を行う際の表示画面である。本実施形態では、図４（ａ）に示すように、リモコン１のディスプレイ１４には、リモコン１を用いてログインされたユーザ画像Ａ１、Ａ２及びＡ３が表示される。本実施形態では、リモコン１によるログイン処理が完了すると、リモコン１のディスプレイ１４には、ログインしたユーザが、例えば、アバターを用いて、ユーザ画像Ａ１、Ａ２及びＡ３として表示される。
【００３０】
また、本実施形態では、さらに、リモコン１へログインしたユーザの中から、リモコン１を利用しているユーザが識別可能になっている。本実施形態では、リモコン１へログインしたユーザの中から、リモコン１を利用しているユーザを、以下、「アクティブユーザ」と呼ぶ。図４（ａ）の例では、ユーザ画像Ａ１の周辺に枠が表示されている。この枠に囲まれたユーザ画像Ａ１が示すユーザが、アクティブユーザとなる。本実施形態のリモコン１のディスプレイ１４は、タッチパネルである。このため、ユーザ画像Ａ１〜Ａ３のいずれかが、接触されることで、接触されたユーザ画像と対応するユーザへ、アクティブユーザを切り替えることが可能である。切り替えられたアクティブユーザに対応するユーザ識別情報が、アクティブ情報記憶領域１３２へ記憶される。アクティブユーザが切り替えられるたびに、アクティブ情報記憶領域１３２は更新される。
【００３１】
また、本実施形態では、リモコン１へログインしていないユーザであっても予約可能なように、ゲストユーザの設定が可能である。図４（ａ）では、ユーザ画像Ａ４がゲストユーザを示す。このため、ユーザ画像Ａ４が、接触されることで、ゲストユーザへ、アクティブユーザを切り替えることが可能である。ゲストユーザに切り替えられた場合、ゲストユーザを示す識別情報が、アクティブ情報記憶領域１３２へ記憶される。ゲストユーザへ切り替えられるたびに、アクティブ情報記憶領域１３２は更新される。このように、各ユーザ、及びゲストユーザが切り替えられるたびに、アクティブ情報記憶領域１３２に記憶されるユーザ識別情報が更新される。
【００３２】
図４（ｂ）は、本実施形態のリモコン１のディスプレイ１４に予約リストが表示される状態を示す説明図である。図４（ｂ）は、予約リストが表示される表示態様を示す説明図である。図４（ｂ）に示すように、楽曲を識別可能な楽曲識別情報として「ちりぬるを」、「いろは」、「ひほへと」と、その楽曲を予約したユーザとが対応付けられている。例えば、楽曲識別情報「ちりぬるを」には、ユーザ画像Ａ２が対応付けられている。これは、楽曲識別情報「ちりぬるを」は、ユーザ画像Ａ２が示すユーザにより予約されたことを示している。また、楽曲識別情報「いろは」には、ゲストユーザを示す画像が対応付けられている。これは、楽曲識別情報「いろは」は、ゲストユーザにより予約されたことを示している。
【００３３】
ディスプレイ１４には、ユーザがログインおよびカラオケ曲の予約をするために、ログイン画面および楽曲選択画面などが表示される。操作部１５は、ディスプレイ１４に表示される情報に従って、カラオケ装置２へログイン情報およびカラオケ曲の情報を送信するとき、ユーザにより操作される。操作部１５により操作された情報は、操作処理部１６により制御部１１に送信される。ビデオＲＡＭ１７は、ディスプレイ１４に表示させる情報を記憶する。映像制御部１８は、制御部１１による制御に従って、ディスプレイ１４に表示させる情報を送信する。無線ＬＡＮ通信部１９は、制御部１１による制御に従って、メモリ１３に記憶されている情報を、アクセスポイントＡＰへ送信し、アクセスポイントＡＰから情報を受信する。
【００３４】
［カラオケ装置２の構成］
カラオケ装置２は、制御部２１と、ＬＡＮインタフェース部２２と、記憶部２３と、操作部２４と、赤外線受信部２５と、操作処理部２６と、シンセサイザ２７と、マイク制御部２８と、スピーカ２９と、ミキシングアンプ３０と、ビデオＲＡＭ３１と、映像再生部３２と、映像制御部３３と、映像受信部３４と、ディスプレイ３５と、カメラ３６とを備える。制御部２１は、カラオケ装置２の動作を制御する。制御部２１は、例えば、後述する予約リストに従って、予約されたカラオケ曲を再生させる指示を行う。ＬＡＮインタフェース部２２は、ネットワークに接続し、制御部２１からの情報を、ネットワークに接続される他の端末であるリモコン１と、センターサーバ４と、広告決定サーバ５とに送信する。また、ネットワークに接続される他の端末からの情報を受信する。
【００３５】
記憶部２３は、ログイン情報記憶領域２３１と、予約リスト記憶領域２３２とを備える。ログイン情報記憶領域２３１は、リモコン１を用いてログインしたユーザのログイン情報が記憶される。予約リスト記憶領域２３２は、リモコン１を用いてユーザにより予約されたカラオケ曲の情報を予約リストとして記憶する。具体的には、予約リストには、予約したユーザを示すユーザ識別情報と、予約された楽曲を識別可能な楽曲識別情報とが対応付けられて登録される。操作部２４により、ユーザは、リモコン１と同様に、カラオケ曲を予約することができる。赤外線受信部２５は、リモコン１の赤外線送信部１２から、情報を受信する。操作処理部２６は、操作部２４および赤外線受信部２５からの情報を、操作指示として、制御部２１に送信する。シンセサイザ２７は、制御部２１による制御に従って、カラオケ曲の音を発生させる指示をミキシングアンプ３０へ行う。マイク制御部２８は、図示外のマイクを用いてユーザにより入力される音を発生させる指示をミキシングアンプ３０へ行う。スピーカ２９およびミキシングアンプ３０は、シンセサイザ２７およびマイク制御部２８から受信する指示に従って、音を発生させる。ビデオＲＡＭ３１と、映像再生部３２と、映像制御部３３、映像受信部３４とにより、制御部２１による制御に従って、ディスプレイ３５に映像を表示させる。また、映像制御部３３は、制御部２１による制御に従って、カメラ３６が取得した映像を、ディスプレイ３５に表示させる。
【００３６】
［センターサーバ４の構成］
センターサーバ４は、ＬＡＮインタフェース部４１と、制御部４２と、広告記憶部４３と、曲記憶部４４とを備える。ＬＡＮインタフェース部４１は、ネットワークに接続し、ブロードバンドルータＢＲを介して他の端末であるリモコン１と、カラオケ装置２と、広告決定サーバ５と、注文端末６と、ＰＯＳレジ７とに接続される。制御部４２は、センターサーバ４の動作を制御する。広告記憶部４３は、広告コンテンツ記憶領域４３１と、広告コンテンツ属性情報記憶領域４３２と、店舗統計情報記憶領域４３３を備える。広告コンテンツ記憶領域４３１は、カラオケシステムＳを利用してディスプレイ５４に表示させる多数の広告コンテンツを記憶する。広告コンテンツ属性情報記憶領域４３２は、広告コンテンツ記憶領域４３１に記憶される広告コンテンツに対応付けて、各広告コンテンツの属性情報を記憶する。図４（ｃ）は、広告コンテンツと、広告コンテンツの属性情報とが対応付けられて、広告コンテンツ属性情報記憶領域４３２に記憶される記憶状態を示す概念図である。図４（ｃ）に示すように、各広告コンテンツには、属性情報として、客層、年齢層、性別、人数、メニュー大分類、メニュー小分類、及び、地域が対応付けられて、広告コンテンツ属性情報記憶領域４３２に記憶される。客層は、広告コンテンツが対象とする客層を示す。年齢層は、広告コンテンツが対象とする年齢層を示す。性別は、広告コンテンツが対象とする性別を示す。人数は、広告コンテンツが対象とするカラオケ装置２を利用するユーザの人数を示す。メニュー大分類は、広告コンテンツが対象とするユーザが注文するメニューの大分類を示す。メニュー小分類は、広告コンテンツが対象とするユーザが注文するメニューの小分類を示す。地域は、広告コンテンツが対象とする地域を示す。地域は、例えば、カラオケ装置２または広告決定サーバ５等が設置される市区町村、都道府県、地区等を示す。例えば、図４（ｃ）に示す広告コンテンツ「広告１」は、Ａ県を対象とする広告コンテンツである。なお、地域が登録されていない場合は、全国を対象とする広告コンテンツであることを示す。例えば、図４（ｃ）に示す広告コンテンツ「広告２」、「広告３」、「広告４」は、地域の対象が「―」であり、全国を対象とする広告コンテンツである。なお、以下の説明では、図４（ｃ）に示す客層、年齢層、性別、人数に関する情報をまとめて客層情報と呼ぶ。また、図４（ｃ）に示すメニュー大分類、及び、メニュー小分類に関する情報をまとめて商品情報と呼ぶ。図４（ｃ）に示す地域に関する情報をまとめて地域情報と呼ぶ。店舗統計情報記憶領域４３３は、ＰＯＳレジ７により管理されるユーザから注文された商品の注文傾向、または、カラオケに来店したユーザの属性等の傾向を示す店舗情報を、カラオケ店舗ＫＳごとに店舗統計情報として記憶する。以下、図５を参照して、店舗統計情報について説明する。図５は、店舗統計情報が、店舗統計情報記憶領域４３３に記憶される記憶状態を示す概念図である。図５に示すように、店舗統計情報は、各時間帯と、各時間帯に来るユーザの代表的な客層、年齢層、性別、人数とを対応付けて記憶する。また、店舗統計情報は、各時間帯と、各時間帯に来るユーザに代表的に注文されるメニューのメニュー大分類、及び、メニュー小分類とを対応付けて記憶する。なお、店舗統計情報の収集についての詳細は、後述する。また、曲記憶部４４は、カラオケ曲記憶領域４４１を備える。カラオケ曲記憶領域４４１は、カラオケ曲と、カラオケ曲を識別可能な楽曲識別情報とを対応付けて記憶する。本実施形態では、広告コンテンツを記憶する広告記憶部４３と、カラオケ曲を記憶する曲記憶部４４とが、共にセンターサーバ４に備えられる構成であるが、これに限らない。広告記憶部４３と、曲記憶部４４は、それぞれ別体の各サーバに設けられてもよい。
【００３７】
また、センターサーバ４は、カラオケ店舗ＫＳに設置されたカラオケ装置２とリモコン１とのくくり付け情報を、広告記憶部４３の所定の記憶領域に記憶しても良い。また、センターサーバ４は、カラオケ店舗ＫＳに設置されたカラオケ装置２と携帯端末装置とのくくり付け情報を記憶しても良い。くくり付け情報は、カラオケ装置２と通信可能なリモコンまたは携帯端末装置との対応関係を示す情報である。センターサーバ４は、くくり付け情報に基づいて、リモコン１から送信された予約依頼を、リモコン１とくくり付けられたカラオケ装置２へ送信する。また、図示外のカラオケサーバが、くくり付け情報に基づいて、携帯端末装置から送信された予約依頼を、携帯端末装置とくくり付けられたカラオケ装置２へ送信しても良い。
【００３８】
また、センターサーバ４は、広告コンテンツが新たに投入されると、新たな広告コンテンツを、広告記憶部４３の広告コンテンツ記憶領域４３１に記憶する。新たに記憶する広告コンテンツに対応して、広告コンテンツの属性情報が付与されているとき、広告コンテンツ属性情報記憶領域４３２に、広告コンテンツの属性情報を、広告コンテンツ記憶領域４３１に記憶される広告コンテンツと対応付けて記憶する。
【００３９】
また、センターサーバ４は、広告決定サーバ５を識別する識別情報と、広告決定サーバ５が備えられたカラオケ店舗及び部屋と、広告決定サーバ５が設定された地域を示す地域情報とを対応付けて、広告記憶部４３に記憶する。これにより、各広告決定サーバ５は、広告決定サーバ５が設置された地域を把握することができる。
【００４０】
［広告決定サーバ５の構成］
広告決定サーバ５は、ＬＡＮインタフェース部５１と、制御部５２と、記憶部５３と、ビデオＲＡＭ５７と、映像制御部５８とを備える。ＬＡＮインタフェース部５１は、ネットワークに接続するためのインタフェースである。制御部５２は、広告決定サーバ５の動作を制御する。記憶部５３は、広告コンテンツ記憶領域５３１と、広告コンテンツ属性情報記憶領域５３２と、店舗統計情報記憶領域５３３と、予約リスト記憶領域５３４と、再生順序リスト記憶領域５３５とを備える。
【００４１】
広告コンテンツ記憶領域５３１は、カラオケシステムＳを利用してディスプレイ５４に表示させる１以上の広告コンテンツを記憶する。広告コンテンツ属性情報記憶領域５３２は、広告コンテンツ記憶領域５３１に記憶される広告コンテンツに対応付けて、各広告コンテンツの属性情報を記憶する。なお、広告コンテンツ及び、広告コンテンツの属性情報は、センターサーバ４から取得される。店舗統計情報記憶領域５３３は、店舗統計情報を記憶する。なお、店舗統計情報は、センターサーバ４から取得される。また、店舗統計情報記憶領域５３３は、店舗統計情報として、各店舗の店舗統計情報を夫々記憶する。店舗統計情報として記憶される属性情報により、時間帯ごとの注文傾向を判別することができる。また、予約リスト記憶領域５３４は、リモコン１により予約されるカラオケ曲の予約リストを記憶する。再生順序リスト記憶領域５３５は、広告コンテンツ記憶領域５３１に記憶される広告コンテンツが再生される順序を示す広告コンテンツの再生順序リストが記憶される。具体的には、再生順序リストは、再生される広告コンテンツを識別する識別情報と、広告コンテンツが再生されるタイミングを示すタイミング情報とを対応付けて記憶する。タイミング情報は、広告コンテンツが再生される順序を示す情報である。ビデオＲＡＭ５７と、映像制御部５８とにより、制御部５２による制御に従って、ディスプレイ５４に映像を表示させる。ビデオＲＡＭ５７は、ディスプレイ５４に表示させる映像を一時記憶する。映像制御部５８は、ディスプレイ５４に、広告コンテンツに従った映像を表示させる。
【００４２】
［注文端末６の構成］
図３に示す注文端末６は、無線ＬＡＮインタフェース部６１と、制御部６２と、記憶部６３と、ディスプレイ６４と、操作部６５と、操作処理部６６と、ビデオＲＡＭ６７と、映像制御部６８とを備える。無線ＬＡＮインタフェース部６１は、ネットワークに接続し、アクセスポイントＡＰを介して他の端末であるリモコン１と、カラオケ装置２と、センターサーバ４と、広告決定サーバ５と、ＰＯＳレジ７とに接続される。制御部６２は、注文端末６の動作を制御する。記憶部６３は、注文情報記憶領域６３１を備える。注文情報記憶領域６３１は、注文端末６により、ユーザから注文された商品についての情報を注文情報として記憶する。以下、図６を参照して、注文情報の詳細について後述する。図６に示すように、注文情報は、各店舗に備えられた部屋ごとで注文されたメニューを示す注文メニューと、注文された時間を示す注文時間と、注文された数を示す注文数とである。なお、図６に示す注文情報と対応付けて、注文情報が示す注文を実行した顧客のユーザ情報と対応付けて記憶しても良い。ユーザ情報は、例えばユーザ識別情報及びユーザ属性情報を含む。ディスプレイ６４は、ユーザが商品を注文するために商品の候補などを表示する。操作部６５により、ユーザは、ディスプレイ６４に表示された商品を選択し、注文する。操作処理部６６は、操作部６５からの情報を、操作指示として、制御部６２に送信する。ビデオＲＡＭ６７と、映像制御部６８とにより、制御部６２による制御に従って、ディスプレイ６４に商品を注文させるための注文映像を表示させる。ユーザにより、商品を注文する指示がされると、制御部６２により、注文情報と顧客のユーザ情報とが、ＰＯＳレジ７に送信される。ユーザは、注文端末６により、飲食物などの商品を注文する。注文端末６は、注文された商品に関する注文情報を、注文情報記憶領域６３１に記憶する。また、ユーザが注文端末６を用いて商品を注文するとき、注文端末６によりカラオケ装置２へログイン要求を行うことが可能である。ログイン要求の詳細は後述する。ログインユーザにより商品が注文されたときは、注文端末６は、注文情報に対応付けて、ユーザ情報も注文情報記憶領域６３１に記憶する。
【００４３】
［ＰＯＳレジ７の構成］
図３に示すＰＯＳレジ７は、制御部７１と、メモリ７３と、ディスプレイ７４と、操作部７５と、操作処理部７６と、ビデオＲＡＭ７７と、映像制御部７８と、ＬＡＮインタフェース部７９とを備える。制御部７１は、ＰＯＳレジ７の動作を制御する。メモリ７３は、注文情報記憶領域７３１と、顧客情報記憶領域７３２とを備える。注文情報記憶領域７３１は、注文端末６から受信した注文情報を記憶する。顧客情報記憶領域７３２は、顧客情報を記憶する。顧客情報は、ＰＯＳレジ７により入力された顧客情報を記憶する。以下、図７を参照して、顧客情報の詳細について後述する。図７に示すように、顧客情報は、各店舗に入店した顧客の情報である。図７に示すように、顧客情報は、各店舗に備えられた部屋ごとに入店したユーザの来店時間、退店時間、来店した人数、来店したユーザの性別、来店したユーザの年齢層、及び、来店したユーザの客層を示す情報である。ディスプレイ７４は、注文情報または顧客情報を入力するための情報を表示する。操作部７５により、ユーザは、ディスプレイ７４に表示された注文情報または顧客情報を選択すると、ＰＯＳレジ７に注文情報または顧客情報を入力することができる。操作処理部７６は、操作部７５からの情報を、操作指示として、制御部７１に送信する。ビデオＲＡＭ７７と、映像制御部７８とにより、制御部７１による制御に従って、ディスプレイ７４に注文映像を表示させる。ＬＡＮインタフェース部７９は、ネットワークに接続し、ブロードバンドルータＢＲを介して、注文情報記憶領域７３１に記憶された注文情報を、センターサーバ４および広告決定サーバ５に送信可能である。
【００４４】
また、ユーザが、飲食物などの商品を、注文端末６を用いずにカラオケ店舗ＫＳの店員に直接注文する場合がある。カラオケ店舗ＫＳの店員により、カラオケ店舗ＫＳに設置されるＰＯＳレジ７に注文情報が入力されてもよい。この場合は、カラオケ店舗ＫＳの店員は、ＰＯＳレジ７に注文情報を入力するとき、注文情報とともに、商品を注文したユーザを示す情報を、顧客情報として入力する。このように入力された注文情報が、注文情報記憶領域７３１に記憶されても良い。
【００４５】
注文端末６は、記憶部６３に記憶された注文情報を、定期的に、ネットワークを介してＰＯＳレジ７に送信する。そして、ＰＯＳレジ７は、注文情報記憶領域７３１及び顧客情報記憶領域７３２に記憶された情報をセンターサーバ４へ送信する。センターサーバ４は、ＰＯＳレジ７から注文情報及び顧客情報が送信されると、広告記憶部４３の所定の記憶領域に記憶される。そして、センターサーバ４は、受信した注文情報及び顧客情報に基づいて、図５に示すような、店舗ごと、または、部屋ごとの時間帯の店舗統計情報を生成する。具体的には、センターサーバ４は、図５に示す時間帯ごとに、注文されたメニューのメニュー大分類、及び、注文されたメニューのメニュー小分類を集計する。集計した結果、図５に示す各時間帯で注文された上位のメニュー大分類及びメニュー小分類が、時間帯ごとに決定される。決定された各時間帯のメニュー大分類及びメニュー小分類が、店舗統計情報として、図５に示すように記憶される。また、センターサーバ４は、図５に示す各時間帯に来店した客層、年齢層、性別、及び、人数を集計する。集計した結果、図５に示す各時間帯で来店したユーザの上位の客層、年齢層、性別、及び、人数が、時間帯ごとに決定される。決定された各時間帯の客層、年齢層、性別、及び、人数が、店舗統計情報として、図５に示すように記憶される。このようにして、店舗統計情報が決定される。決定された店舗統計情報は、センターサーバ４から広告決定サーバ５へ送信される。なお、店舗統計情報は、広告決定サーバ５により決定されても良い。
【００４６】
そして、決定された各時間帯の客層、年齢層、性別、人数、メニュー小分類、及び、メニュー大分類の少なくとも１つ一致する広告コンテンツ属性情報を備える広告コンテンツが、広告コンテンツ属性情報記憶領域５３２から決定される。一致する属性が多いほど、各時間帯の店舗統計情報に適した広告コンテンツとなる。このように、各店舗にあった広告コンテンツが決定される。本実施形態では、カラオケ装置２へユーザがログインしていない場合であっても、顧客情報または注文情報といった店舗に関する情報に一致した広告コンテンツ属性情報を持つコンテンツが決定されることで、カラオケ装置２が設置される店舗に合った広告が決定される。これにより、カラオケ装置２を利用するユーザへ、効果的な広告の提供が可能となる。
【００４７】
一方、カラオケ装置２へユーザがログインしている場合、広告決定サーバ５は、リモコン１またはカラオケ装置２から、カラオケ装置２へログインしているユーザのユーザ識別情報とユーザの属性情報とを取得する。そして、取得したユーザの属性情報と一致する広告コンテンツ属性情報を備える広告コンテンツが、広告コンテンツ属性情報記憶領域５３２から決定される。一致する属性が多いほど、ユーザに適した広告コンテンツとなる。
【００４８】
また、ＰＯＳレジ７では、注文端末６から受信した注文情報と、注文情報に対応付けられた顧客情報とが集計され、注文された商品ごとに分類されても良い。ＰＯＳレジ７は、商品ごとに分類した情報を、顧客情報に従った注文傾向を示す注文傾向情報として、メモリ７３に記憶しても良い。この注文された商品ごとに分類された注文傾向情報により、商品が注文される時間と、商品が注文される顧客の情報とを、注文傾向として記憶させることができる。
【００４９】
［リモコン１の動作］
次に、上述に説明した構成からなる本実施形態のカラオケシステムＳに用いられるリモコン１の動作及び作用について、図８を参照して説明する。図８は、リモコン１におけるメイン動作の処理手順を示すフローチャートである。なお、リモコン１にメイン動作を実行させるプログラムは、メモリ１３の所定の記憶領域に記憶されている。リモコン１のメイン動作は、例えば、リモコン１の電源がオンにされたことにより、遂行される。以下に示す処理は、制御部１１により実行される。
【００５０】
ステップＳ１０１では、カラオケ装置２へログインが要求されたか否かが判定される。カラオケ装置２へログインが要求されたと判定された場合（ステップＳ１０１：ＹＥＳ）、ステップＳ１０２が実行される。カラオケ装置２へログインが要求されたと判定されない場合（ステップＳ１０１：ＮＯ）、ステップＳ１０４が実行される。
【００５１】
ステップＳ１０２では、カラオケ装置２へ向けて、ログイン要求が送信される。そして、ログイン要求を受信したカラオケ装置２を介してセンターサーバ４は、ログイン処理を実行し、ログインを許可するか、または、拒否するかを判断する。ログインの許可、または、ログインの拒否が、リモコン１へ向けて送信される。
【００５２】
ステップＳ１０３では、ログインの許可、または、ログインの拒否が受信される。受信した結果、ログインが許可された場合、許可されたユーザ識別情報と、ユーザの属性情報とが、ログイン情報記憶領域１３１に記憶される。
【００５３】
ステップＳ１０４では、カラオケの楽曲の予約が、要求されたか否かが判定される。楽曲の予約が要求されたと判定された場合（ステップＳ１０４：ＹＥＳ）、ステップＳ１０５が実行される。楽曲の予約が要求されたと判定されなかった場合（ステップＳ１０４：ＮＯ）、ステップＳ１０８が実行される。
【００５４】
ステップＳ１０５では、ステップＳ１０４で要求された予約が、ログインユーザからの予約であるか否かが判定される。具体的には、ステップＳ１０４で要求されたときに、アクティブ情報記憶領域１３２に記憶されているユーザ識別情報が確認される。アクティブ情報記憶領域１３２に記憶されているユーザ識別情報が、ログインユーザを示す場合、ステップＳ１０４で要求された予約が、ログインユーザからの予約であると判定される。一方、アクティブ情報記憶領域１３２に記憶されているユーザ識別情報が、ゲストユーザを示す場合、ステップＳ１０４で要求された予約が、ログインユーザからの予約でないと判定される。ステップＳ１０４で要求された予約が、ログインユーザからの予約であると判定された場合（ステップＳ１０５：ＹＥＳ）、ステップＳ１０６が実行される。ステップＳ１０４で要求された予約が、ログインユーザからの予約でないと判定された場合（ステップＳ１０５：ＮＯ）、ステップＳ１０７が実行される。
【００５５】
ステップＳ１０６では、ログインユーザとして、アクティブ情報記憶領域１３２に記憶されたユーザ識別情報と、予約された楽曲識別情報とが、カラオケ装置２へ送信される。
【００５６】
ステップＳ１０７では、ゲストユーザとして、アクティブ情報記憶領域１３２に記憶されたユーザ識別情報と、予約された楽曲識別情報とが、カラオケ装置２へ送信される。
【００５７】
ステップＳ１０８では、リモコン１の電源がオフにされたか否かが判定される。リモコン１の電源がオフにされたと判定された場合（ステップＳ１０８：ＹＥＳ）、リモコン１のメイン動作は終了される。リモコン１の電源がオフにされたと判定されなかった場合（ステップＳ１０８：ＮＯ）、ステップＳ１０１が実行される。
【００５８】
［カラオケ装置２の動作］
次に、上述に説明した構成からなる本実施形態のカラオケシステムＳに用いられるカラオケ装置２の動作及び作用について、図９を参照して説明する。図９は、カラオケ装置２におけるメイン動作の処理手順を示すフローチャートである。なお、カラオケ装置２にメイン動作を実行させるプログラムは、記憶部２３の所定の記憶領域に記憶されている。カラオケ装置２のメイン動作は、例えば、カラオケ装置２の電源がオンにされたことにより、遂行される。以下に示す処理は、制御部２１により実行される。
【００５９】
ステップＳ２０１では、カラオケ装置２へログインが要求されたか否かが判定される。カラオケ装置２へログインが要求されたと判定された場合（ステップＳ２０１：ＹＥＳ）、ステップＳ２０２が実行される。カラオケ装置２へログインが要求されたと判定されない場合（ステップＳ２０１：ＮＯ）、ステップＳ２０４が実行される。
【００６０】
ステップＳ２０２では、カラオケ装置２と接続するセンターサーバ４へ向けて、ログイン要求が送信される。そして、ログイン要求を受信したセンターサーバ４は、ログイン処理を実行し、ログインを許可するか、または、拒否するかを判断する。ログインの許可、または、ログインの拒否が、カラオケ装置２へ向けて送信される。
【００６１】
ステップＳ２０３では、ログインの許可、または、ログインの拒否がセンターサーバ４から受信される。ログインが許可されるとき、センターサーバ４から、ログインの許可と共に、ログイン要求に示されるログインユーザの情報が受信される。受信した結果、ログインが許可された場合、許可されたユーザ識別情報と、ユーザの属性情報とが、ログイン情報記憶領域２３１に記憶される。
【００６２】
ステップＳ２０４では、リモコン１のステップＳ１０６またはステップＳ１０７で送信されたカラオケの楽曲を予約する要求が受信されたか否かが判定される。楽曲を予約する要求が受信されたと判定された場合（ステップＳ２０４：ＹＥＳ）、ステップＳ２０５が実行される。予約する要求が受信されたと判定されなかった場合（ステップＳ２０４：ＮＯ）、ステップＳ２０８が実行される。
【００６３】
ステップＳ２０５では、ステップＳ２０４で受信された要求に含まれる予約楽曲の楽曲識別情報に関する楽曲属性情報が、センターサーバ４へ向けて要求される。
【００６４】
ステップＳ２０６では、ステップＳ２０５で要求された楽曲属性情報が、センターサーバ４から取得される。
【００６５】
ステップＳ２０７では、ステップＳ２０６で取得された楽曲属性情報と、楽曲識別情報と、楽曲を予約したログインユーザまたはゲストユーザを識別するユーザ識別情報とが対応付けられて、予約リスト記憶領域２３２に記憶される。
【００６６】
ステップＳ２０８では、広告決定サーバ５から、ログインユーザのログイン情報の送信要求が受信されたか否かが判定される。ログインユーザの情報の送信要求が受信されたと判定された場合（ステップＳ２０８：ＹＥＳ）、ステップＳ２０９が実行される。ログインユーザのログイン情報の送信要求が受信されたと判定されなかった場合（ステップＳ２０８：ＮＯ）、ステップＳ２１０が実行される。
【００６７】
ステップＳ２０９では、ログイン情報記憶領域２３１に記憶されたすべてのログインユーザのログイン情報が、広告決定サーバ５へ送信される。
【００６８】
ステップＳ２１０では、広告決定サーバ５から、予約リストの送信要求が受信されたか否かが判定される。広告決定サーバ５から予約リストの送信要求が受信されたと判定された場合（ステップＳ２１０：ＹＥＳ）、ステップＳ２１１が実行される。広告決定サーバ５から送信された予約リストの送信要求が受信されたと判定されなかった場合（ステップＳ２１０：ＮＯ）、ステップＳ２１２が実行される。
【００６９】
ステップＳ２１１では、予約リスト記憶領域２３２に記憶された予約リストと、現在再生中の楽曲を示す楽曲識別情報とが、広告決定サーバ５へ送信される。
【００７０】
ステップＳ２１２では、カラオケ装置２の電源がオフにされたか否かが判定される。カラオケ装置２の電源がオフにされたと判定された場合（ステップＳ２１２：ＹＥＳ）、カラオケ装置２のメイン動作は終了される。カラオケ装置２の電源がオフにされたと判定されなかった場合（ステップＳ２１２：ＮＯ）、ステップＳ２０１が実行される。
【００７１】
［広告決定サーバ５の動作］
次に、上述に説明した構成からなる本実施形態のカラオケシステムＳに用いられる広告決定サーバ５の動作及び作用について、図面を参照して説明する。まず、図１０を用いて、広告決定サーバ５のメイン処理を説明する。図１０は、広告決定サーバ５のメイン処理の処理手順を示すフローチャートである。なお、広告決定サーバ５にメイン動作を実行させるプログラムは、記憶部５３の所定の記憶領域に記憶されている。広告決定サーバ５のメイン処理は、広告決定サーバ５が電源またコンセントを介して商用電源などの外部電源と接続されることにより、実行される。以下に示す処理は、広告決定サーバ５の制御部５２により実行される。
【００７２】
まず、図１０に示す広告決定サーバ５のメイン処理では、ステップＳ５０１では、再生順序リストを取得する。再生順序リストは、広告決定サーバ５の記憶部５３の再生順序リスト記憶領域５３５から取得される。再生順序リストは、複数の広告コンテンツをディスプレイ５４に再生させる順番が、所定期間ごとに定められたリストである。広告順序リスト記憶領域５３５に記憶される再生順序リストは、センターサーバ４から配信される。センターサーバ４から配信される時点での再生順序リストは、カラオケシステムＳを利用するカラオケ店舗ＫＳに関わらず広告コンテンツの再生順序が一律に定められている。
【００７３】
ステップＳ５０２では、広告コンテンツの更新が、必要か否かが判断される。ステップＳ５０２では、広告決定サーバ５が、センターサーバ４へ問い合わせ、センターサーバ４に新たな広告コンテンツの投入がされているかが判断される。センターサーバ４に新たな広告コンテンツの投入がされたと判断されると、広告コンテンツの更新が必要であると判断される（ステップＳ５０２：ＹＥＳ）。広告コンテンツの更新が必要であると判断されるとき、ステップＳ５０３の処理が実行される。センターサーバ４に新たな広告コンテンツの投入がされたと判断されないと、広告コンテンツの更新が不要であると判断される（ステップＳ５０２：ＮＯ）。広告コンテンツの更新が不要であるとき、ステップＳ５０８の処理が実行される。
【００７４】
ステップＳ５０３では、センターサーバ４から、新たな広告コンテンツが取得される。取得した広告コンテンツは、既に取得済の広告コンテンツと共に、記憶部５３の広告コンテンツ記憶領域５３１に記憶される。
【００７５】
ステップＳ５０４では、取得した広告コンテンツに対応づけられている広告コンテンツ属性情報を、センターサーバ４の広告記憶部４３の広告コンテンツ属性情報記憶領域４３２から取得する。取得された広告コンテンツ属性情報は、広告コンテンツに対応付けて、広告コンテンツ属性情報記憶領域５３２に記憶される。
【００７６】
ステップＳ５０８では、店舗統計情報を更新する必要があるか否かが判断される。具体的には、ステップＳ５０８では、地域情報と、注文情報と、客層情報とを更新する必要があるか否かが判断される。地域情報は、センターサーバ４の広告記憶部４３に記憶された広告決定サーバ５が設定された地域を示す地域情報である。注文情報は、ＰＯＳレジ７により管理される注文情報である。ステップＳ５０８では、これらの各情報について、記憶部５３の店舗統計情報記憶領域５３３に記憶されている店舗統計情報より新しい情報があるか否かが判断される。各情報は、店舗統計情報記憶領域５３３に記憶された店舗統計情報より、母数が多い場合、または、更新日時が新しい場合に、店舗統計情報記憶領域５３３の店舗統計情報より、新しい情報があると判断され、店舗統計情報を更新する必要があると判断される（ステップＳ５０８：ＹＥＳ）。店舗統計情報を更新する必要があるとき、ステップＳ５０９の処理が実行される。店舗統計情報記憶領域５３３の店舗統計情報より、新しい情報があると判断されず（ステップＳ５０８：ＮＯ）、店舗統計情報の更新が不要であるとき、ステップＳ５１２の処理が実行される。
【００７７】
ステップＳ５０９では、広告決定サーバ５が設置されるカラオケルームＫＲのカラオケ店舗ＫＳの店舗統計情報が取得される。取得された店舗統計情報は、記憶部５３の店舗統計情報記憶領域５３３に記憶される。
【００７８】
ステップＳ５１２では、カラオケシステムＳを利用するユーザにより、リモコン１を用いてログインがされているか否かが判断される。ステップＳ５１２では、広告決定サーバ５により、カラオケ装置２へログインユーザがいるか否かを問い合わせ、カラオケ装置２から受信する返答結果により、ログインユーザの有無が判断される。ログインユーザがいると判断されると（ステップＳ５１２：ＹＥＳ）、ステップＳ５１３の処理が実行される。ログインユーザがいると判断されないと（ステップＳ５１２：ＮＯ）、ステップＳ５１７の処理が実行される。ステップＳ５１７では、後述する店舗別表示処理が実行される。
【００７９】
ステップＳ５１３では、ステップＳ５１２において、ログインユーザがいると判断されるとき（ステップＳ５１２：ＹＥＳ）、カラオケ装置２へログインユーザの情報を取得する要求を行うことにより、カラオケ装置２の記憶部２３のログイン情報記憶領域２３１からログインユーザの情報であるログイン情報を取得する。ログイン情報は、具体的には、ログインユーザの人数と、ログインユーザのユーザ識別情報と、ログインユーザが登録しているユーザ属性情報と、ゲストユーザの有無である。
【００８０】
ステップＳ５１４では、カラオケ装置２によりカラオケ曲が再生されているか否かが判断される。ステップＳ５１４では、広告決定サーバ５から、カラオケ装置２へ問い合わせ、カラオケ装置２から、カラオケ曲の再生状況を取得することにより、カラオケ曲の再生有無が判断される。カラオケ曲が再生されていると判断されると（ステップＳ５１４：ＹＥＳ）、ステップＳ５１５の処理が実行される。カラオケ曲が再生されていると判断されないと（ステップＳ５１４：ＮＯ）、ステップＳ５１６の処理が実行される。
【００８１】
ステップＳ５１５では、再生されているカラオケ曲を予約したユーザの情報が取得される。具体的には、再生されているカラオケ曲を予約したユーザが、ログインユーザであれば、カラオケ曲を予約したログインユーザのログイン情報が取得される。再生されているカラオケ曲を予約したユーザが、ゲストユーザであれば、ゲストユーザであることを示す情報が取得される。
【００８２】
ステップＳ５１６では、ログインユーザと、ゲストユーザとが混合しているかに応じて、広告の表示を変更するログイン広告表示処理が実行される。図１１は、ログイン広告表示処理の処理手順を示すフローチャートである。以下、図１１を用いてログイン広告表示処理のステップＳ６０１〜ステップＳ６０５の処理を説明する。
【００８３】
ステップＳ６０１では、ステップＳ５１３の処理で取得されたログイン情報にしたがって、ログインユーザと、ゲストユーザとが混在しているか否かが判断される。ログインユーザと、ゲストユーザとが混在していると判断されるとき（ステップＳ６０１：ＹＥＳ）、ステップＳ６０３の処理が実行される。ログインユーザと、ゲストユーザとが混在していると判断されないとき（ステップＳ６０１：ＮＯ）、ステップＳ６０２の処理が実行される。
【００８４】
ステップＳ６０２では、ステップＳ５１３の処理で取得されたログイン情報に従って、再生中のカラオケ曲ではないカラオケ曲を予約したユーザへ向けた広告コンテンツを、ディスプレイ５４に表示させる。
【００８５】
ステップＳ６０３では、ステップＳ６０１において、ログインユーザと、ゲストユーザとが混在していると判断されると（ステップＳ６０１：ＹＥＳ）、再生中のカラオケ曲がログインユーザにより予約されたか否かが判断される。再生中のカラオケ曲がログインユーザにより予約されたと判断されると（ステップＳ６０３：ＹＥＳ）、ステップＳ６０４の処理が実行される。再生中のカラオケ曲がログインユーザにより予約されたと判断されないと（ステップＳ６０３：ＮＯ）、ステップＳ６０５の処理が実行される。
【００８６】
ステップＳ６０４では、再生中のカラオケ曲がログインユーザにより予約されたと判断されるとき（ステップＳ６０３：ＹＥＳ）、店舗の属性情報に合った広告を表示させる店舗別表示処理が実行される。図１２は、店舗別表示処理の処理手順を示すフローチャートである。以下、図１２を用いて店舗別表示処理のステップＳ７０１〜ステップＳ７１０の処理を説明する。
【００８７】
ステップＳ７０１では、ネットワークを介して外部のサーバなどから、現在日時が取得される。ステップＳ７０１が実行されると、ステップＳ７０２が実行される。
【００８８】
ステップＳ７０２では、ステップＳ７０１により取得された現在日時が示す現在時間と、記憶部５３の店舗統計情報記憶領域５３３に記憶された店舗統計情報とに従って、現在時間に利用するユーザが多い客層を示す客層情報が決定される。
【００８９】
ステップＳ７０３では、ステップＳ７０１により取得された現在時間と、記憶部５３の店舗統計情報記憶領域５３３に記憶された店舗統計情報とに従って、現在時間にユーザが注文することが多い商品を示す注文情報が決定される。
【００９０】
ステップＳ７０４では、記憶部５３の広告コンテンツ記憶領域５３１に記憶された広告コンテンツのうちに、ステップＳ７０２で決定された客層情報が、広告コンテンツ属性情報５３２の属性情報に対応付けられた広告コンテンツがあるか否かが判断される。ステップＳ７０２で決定された客層情報が対応付けられた広告コンテンツがあると判断されると（ステップＳ７０４：ＹＥＳ）、ステップＳ７０５の処理が実行される。ステップＳ７０２で決定された客層情報が対応付けられた広告コンテンツがあると判断されないと（ステップＳ７０４：ＮＯ）、ステップＳ７０６の処理が実行される。
【００９１】
ステップＳ７０５では、ステップＳ７０２で決定された客層情報が対応付けられた広告コンテンツを、ディスプレイ５４に表示させる。
【００９２】
ステップＳ７０６では、記憶部５３の広告コンテンツ記憶領域５３１に記憶された広告コンテンツのうちに、ステップＳ７０３で決定された注文情報が、広告コンテンツ属性情報５３２の属性情報に対応付けられた広告コンテンツがあるか否かが判断される。ステップＳ７０３で決定された注文情報が対応付けられた広告コンテンツがあると判断されると（ステップＳ７０６：ＹＥＳ）、ステップＳ７０７の処理が実行される。ステップＳ７０３で決定された注文情報が対応付けられた広告コンテンツがあると判断されないと（ステップＳ７０６：ＮＯ）、ステップＳ７０８の処理が実行される。
【００９３】
ステップＳ７０７では、ステップＳ７０３で決定された注文情報が対応付けられた広告コンテンツを、ディスプレイ５４に表示させる。
【００９４】
ステップＳ７０８では、記憶部５３の広告コンテンツ記憶領域５３１に記憶された広告コンテンツのうちに、広告決定サーバ５が設定された地域を示す地域情報が、広告コンテンツ属性情報５３２の属性情報に対応付けられた広告コンテンツがあるか否かが判断される。店舗統計情報記憶領域５３３に記憶された地域情報が対応付けられた広告コンテンツがあると判断されると（ステップＳ７０８：ＹＥＳ）、ステップＳ７０９の処理が実行される。店舗統計情報記憶領域５３３に記憶された地域情報が対応付けられた広告コンテンツがあると判断されないと（ステップＳ７０８：ＮＯ）、ステップＳ７１０の処理が実行される。
【００９５】
ステップＳ７０９では、店舗統計情報記憶領域５３１に記憶された地域情報が対応付けられた広告コンテンツを、ディスプレイ５４に表示させる。
【００９６】
ステップＳ７１０では、ステップＳ５０１により取得された再生順序リストにしたがって、再生順序リストに示される広告コンテンツを、ディスプレイ５４に表示させる。ステップＳ７０５、またはステップＳ７０７、またはステップＳ７０９、またはステップＳ７１０のいずれかの処理が実行されると、店舗別表示処理、およびログイン広告表示処理の処理が完了し、メイン処理のステップＳ５１８の処理が実行される。
【００９７】
一方、ログイン広告表示処理のステップＳ６０３の処理において、再生中のカラオケ曲がログインユーザにより予約されたと判断されないとき（ステップＳ６０３：ＮＯ）、ステップＳ６０５の処理が実行される。ステップＳ６０５では、ログインユーザのユーザ属性に合う広告コンテンツをディスプレイ５４に表示させる。ログインユーザのユーザ属性に合う広告コンテンツとは、具体的には、ユーザの歌唱履歴と、ユーザの嗜好とを含むユーザの属性情報に対応する広告コンテンツである。
【００９８】
店舗別表示処理または、ログイン広告表示処理のステップＳ６０５の処理が実行されると、続けて、メイン処理のステップＳ５１８の処理が実行される。ステップＳ５１８では、広告決定サーバ５の電源をオフにする指示がされたか否かが判断される。広告決定サーバ５の電源をオフにする指示がされたと判断されると（ステップＳ５１８：ＹＥＳ）、広告決定サーバ５のメイン処理が終了される。広告決定サーバ５の電源をオフにする指示がされたと判断されないと（ステップＳ５１８：ＮＯ）、ステップＳ５０１の処理が繰り返し実行される。
【００９９】
[本発明の構成と本実施形態との対応］
本実施形態において、広告決定サーバ５が、本発明の広告決定装置の一例である。本実施形態の広告決定サーバ５の制御部５２が、本発明の第１判断手段の一例であり、本実施形態の制御部５２により実行されるステップＳ５１２の処理が、本発明の第１判断ステップの一例である。本実施形態のユーザ識別情報が、本発明のユーザ識別情報の一例であり、本実施形態のユーザの歌唱履歴、ユーザの嗜好を示すユーザの属性情報が、本発明のユーザ属性情報の一例である。本実施形態の広告決定サーバ５の制御部５２が、本発明の第１取得手段の一例であり、本実施形態の制御部５２により実行されるステップＳ５１３の処理が、本発明の第１取得ステップの一例である。本実施形態の広告決定サーバ５の制御部５２が、本発明の第１決定手段の一例であり、本実施形態の制御部５２により実行されるステップＳ６０５の処理が、本発明の第１決定ステップの一例である。本実施形態の客層情報と、注文情報と、地域情報とが、本発明の店舗属性情報の一例である。本実施形態の広告決定サーバ５の制御部５２が、本発明の第２決定手段の一例であり、本実施形態の制御部５２により実行されるステップＳ５１７の処理が、本発明の第２決定ステップの一例である。
【０１００】
本実施形態のステップＳ５０９の処理により、時間帯ごとの客層を示す情報を取得する制御部５２が、本発明の稼働情報取得手段の一例である。本実施形態のステップＳ７０５の処理により、客層情報に対応する広告を表示させる制御部５２が、本発明の時間帯ごとのユーザ層に合った広告を決定する第２決定手段の一例である。本実施形態における客層が、本発明のユーザ層に対応する。本実施形態のステップＳ５０９の処理により、地域情報を取得する制御部５２が、本発明の立地情報取得手段の一例である。本実施形態のステップＳ７０９の処理により、地域情報対応する広告を表示させる制御部５２が、本発明の店舗の立地状況に合った広告を決定する第２決定手段の一例である。本実施形態のステップＳ６０１の処理により、ログインユーザとゲストユーザとが混在しているかを判断する制御部５２が、本発明の第２判断手段の一例である。本実施形態のステップＳ６０３の処理によりＹＥＳと判断され、ステップＳ６０４の処理により、店舗の属性情報に合った広告を提供する制御部５２が、本発明の第３判断手段の一例である。本実施形態のステップＳ６０３の処理によりＮＯと判断され、及びステップＳ６０５の処理により、ログインユーザのユーザ属性に合った広告を提供する制御部５２が、本発明の第４判断手段の一例である。
【０１０１】
なお、本実施形態では、本発明の広告決定装置として、広告決定サーバ５が用いられる例を挙げて説明した。本実施形態の変形例として、カラオケ装置２に、広告決定装置の機能が備えられてもよい。この場合、図１０〜図１２の処理は、カラオケ装置２の制御部２１により実行される。
【０１０２】
また、上述した「客層情報」、「注文情報」、「地域情報」が示す各情報は、上述した情報に限らない。例えば、「地域情報」が示す地域に関する情報は、市区町村、都道府県などに限らず、駅の近く、学校の近くなどの立地条件を示す情報であってもよい。
【０１０３】
また、図１２に示すステップＳ７０４、ステップＳ７０６、およびステップＳ７０８の処理は、予め決められた優先度に応じて、各ステップＳ７０４、Ｓ７０６、Ｓ７０８において判断される処理が実行される順番は、適宜変更されてもよい。
【０１０４】
また、本実施形態では、カラオケ装置２へログインしたか否かが判定されていたが、これに限定されるものではない。例えば、カラオケ装置２により提供されるサービスにログインしているか否かが判定されても良い。なお、ログイン処理は、リモコン１により実行されても良いし、カラオケ装置２により実行されても良い。また、リモコン１またはカラオケ装置２を用いて、ユーザ識別情報等が入力されて、ログイン処理が、センターサーバ４により実行されても良い。また、リモコン１及びカラオケ装置２により構成されるカラオケシステムへログインしたか否かが判定されても良い。
【０１０５】
また、本実施形態では、本発明のユーザ属性情報の一例として、ユーザの歌唱履歴、ユーザの嗜好を示すユーザの属性情報を例に説明したが、これに限らない。例えば、ユーザが、自身の嗜好を示すキーワードを指定することにより、指定したキーワードを、ユーザ属性情報として用いてもよい。
【符号の説明】
【０１０６】
Ｓ  カラオケシステム
１  リモコン
２  カラオケ装置
４  センターサーバ
５  広告決定サーバ
５２  制御部
５４  ディスプレイ
６  注文端末
７  ＰＯＳレジ
【図１】
2013235105.tif 000003
【図２】
2013235105.tif 000004
【図３】
2013235105.tif 000005
【図４】
2013235105.tif 000006
【図５】
2013235105.tif 000007
【図６】
2013235105.tif 000008
【図７】
2013235105.tif 000009
【図８】
2013235105.tif 000010
【図９】
2013235105.tif 000011
【図１０】
2013235105.tif 000012
【図１１】
2013235105.tif 000013
【図１２】
2013235105.tif 000014